(57)【要約】【課題】横方向に複数個配列する各印字モジュールの両端に位置する印字ハンマの縦方向の配列ピッチが不連続であり、且つ前記不連続部がフロントヨークの継ぎ目に当ってしまうことにより、継ぎ目の部分がエアギャップとなってしまい、両端に位置する印字ハンマを非印字位置に保持する磁気回路のバランスが崩れ、印字モジュール中の他位置の印字ハンマと比べ印字上必要となる印字力及び応答速度が劣る傾向があった。【解決手段】横方向に複数個配列する各印字モジュールの両端に位置する印字ハンマの縦方向の配列ピッチを連続（等間隔）になるよう構成し、不連続となる部分を印字モジュールの中央部に配置することにより、両端に位置する印字ハンマを非印字位置に保持する磁気回路のバランスが崩れることを防止し、ハンマの配列位置に関わらず、安定した印字力及び応答速度を得ることを可能にしたものである。【選択図】　　　　　図１
2004009470.tif 000002
【特許請求の範囲】
【請求項１】
紙送り方向及びその直交方向にそれぞれ等間隔で印字ハンマを配列した複数の印字モジュールと、前記印字ハンマを非印字位置に保持する磁気吸引力を発生する磁石手段と、前記印字ハンマを駆動するために各印字ハンマに対応して設けられ、所定幅釈放電流が供給されて前記磁石手段の磁界を打ち消す釈放用電磁コイルと、前記横方向に複数個配列された印字モジュールを保持し、横方向に沿って往復移動するハンマバンクを備え、ハンマバンクの往復移動の過程で前記各印字ハンマを駆動して印字するドットプリンタにおいて、
前記印字モジュールの各印字モジュール両端に位置する印字ハンマについて、縦方向の配列ピッチが隣接する印字モジュール間で連続することを特徴とするドットプリンタ。
【請求項２】
印字ハンマの縦方向の配列ピッチが不連続となる部分を、前記印字モジュールそれぞれに、少なくとも１箇所設けることを特徴とする請求項１記載のドットプリンタ。
【請求項３】
前記印字モジュールについて、印字ハンマの縦方向の配列ピッチで不連続となる部分を設け、その部分が印字モジュールの印字ハンマ列における中央部に配置することを特徴とする請求項１記載のドットプリンタ。
【発明の詳細な説明】
【０００１】
【発明の属する技術分野】
本発明はドットプリンタに関するものである。
【０００２】
【従来の技術】
従来技術の一例を、図２、３により説明する。
【０００３】
図２に、従来例となるハンマバンクの横断面図を示す。
【０００４】
ハンマバンクは、板バネ状であるＮ個の印字ハンマ１と、その前面の磁気回路を構成するフロントヨーク２と、印字ハンマ１を磁気吸引力によって非印字位置に保持するマグネット４及びヨーク５と、所定パルス幅の釈放電流を供給することによって前記印字ハンマ１を釈放飛行させる釈放用電磁コイル（以下単にコイルという）６と、コイル６等で発生する熱を放熱する放熱フィン７とで構成される。なお、印字ハンマ１とフロントヨーク２で構成される部分を印字モジュールと呼ぶ。
【０００５】
次に、図３に従来例として印字モジュールを３つ並べた前面図を示す。
【０００６】
印字モジュールの印字ハンマは、縦・横方向の配列が等間隔ピッチでＮ個並んでいる。ここでは、Ｎ＝１２として説明する。印字モジュール３の右端印字ハンマ１０及び左端印字ハンマ１１が、それぞれ印字モジュール８，９の印字ハンマ１２，１３と隣接しており、その境界で縦方向の配列ピッチが不連続の為、縦方向にピッチ差が生じる配列になっている。更に、フロントヨークは印字モジュール毎に独立構成である為、印字ハンマのピッチ不連続部が、丁度、印字ハンマ前面の磁気回路を構成するフロントヨークの継ぎ目に当ってしまっていた。
【０００７】
【発明が解決しようとする課題】
横方向に複数個配列する各印字モジュールの両端に位置する印字ハンマは、隣接する印字ハンマと縦方向での配列ピッチが不連続であり、且つ前記不連続部がフロントヨークの継ぎ目に当ってしまうことにより、継ぎ目の部分がエアギャップとなってしまう。その為、両端に位置する印字ハンマを非印字位置に保持する磁気回路のバランスが崩れ、印字モジュール中の他位置の印字ハンマと比べ、印字上必要となる印字力及び応答速度が劣る傾向があった。
【０００８】
本発明の目的は、従来の印字モジュールの印字ハンマ列の端部で生じていた印字力及び応答速度の低下を改善したドットプリンタを提供することにある。
【０００９】
【課題を解決するための手段】
上記課題を解決するため、本発明では、紙送り方向及びその直交方向にそれぞれ等間隔で印字ハンマを配列した複数の印字モジュールと、前記印字ハンマを非印字位置に保持する磁気吸引力を発生する磁石手段と、前記印字ハンマを駆動するために各印字ハンマに対応して設けられ、所定幅釈放電流が供給されて前記磁石手段の磁界を打ち消す釈放用電磁コイルと、前記横方向に複数個配列された印字モジュールを保持し、横方向に沿って往復移動するハンマバンクを備え、ハンマバンクの往復移動の過程で前記各印字ハンマを駆動して印字するドットプリンタにおいて、前記印字モジュールの各印字モジュール両端に位置する印字ハンマについて、縦方向の配列ピッチが隣接する印字モジュール間で連続することを特徴とする。
【００１０】
また、印字ハンマの縦方向の配列ピッチが不連続となる部分を、前記印字モジュールそれぞれに、少なくとも１箇所設けることを特徴とする。
【００１１】
更に、前記印字モジュールについて、印字ハンマの縦方向の配列ピッチで不連続となる部分を設け、その部分が印字モジュールの印字ハンマ列における中央部に配置することを特徴とする。
【００１２】
【発明の実施の形態】
以下、図１を使用して本発明を説明する。
【００１３】
印字モジュールの横断面図は従来と同じ（図２と同様）であるため、説明は割愛する。
【００１４】
図１は、本発明の一例となる印字モジュールの前面図である。ここでは例として、印字ハンマがＮ＝１２本の場合で説明する。図に示す様に、印字ハンマの縦方向の連続等間隔ピッチを、間隔Ａとする。
【００１５】
印字モジュール３において、左端となる印字ハンマ１１から、縦・横方向に等間隔ずらして６本並べる（印字ハンマ１５まで）。また、右端となる印字ハンマ１０は、印字ハンマ１１に対して縦方向に間隔Ａだけずらして、印字ハンマ１１の方向に、縦・横方向に等間隔にずらして６本並べる。
【００１６】
このように印字ハンマを配列させた印字モジュールを並べて使用することで、印字モジュール３と隣接する印字モジュール８の間で、印字ハンマの縦方向及び横方向のピッチが一定になる。勿論、印字モジュール３と印字モジュール９の間でも同様に一定ピッチとなる。
【００１７】
従って、縦方向配列ピッチが不連続となる部分（図の印字ハンマ１４と１５の間）がフロントヨークの継ぎ目（各印字モジュール間）に当らず、また、印字モジュール間での印字ハンマの縦方向配列ピッチが連続となり、エアギャップが無くなることで、磁気回路のバランスが崩れず、安定した印字力及び応答速度を得ることが可能となる。
【００１８】
なお、本発明では印字モジュールの印字ハンマが１２個の場合で説明したが、これに限定されるものでは無く、少なくとも３個以上の場合本発明が適用可能である。
【００１９】
また、細かく見ると一つ一つの印字ハンマにおいて磁気回路が構成されているが、大きく見ると印字モジュール自体が一つの大きな磁気回路である。その為、印字モジュールの隣同士ではエアギャップおよびフロントヨークの継目が存在し、磁力のバランスが崩れることになる。しかし、印字ハンマの縦方向間隔が不連続の場合でも、その部分のフロントヨークが一体であれば、印字ハンマの不連続部の隣同士の磁力バランスは大きく崩れることは無い。従って、印字ハンマの不連続部は、各印字モジュール間の継目以外であれば良い。更に、各印字モジュールにおいて印字ハンマ横方向の中央部であれば、各印字モジュールの継目から離れるため、より好適である。
【００２０】
【発明の効果】
本発明により、横方向に複数個配列する各印字モジュールの両端に位置する印字ハンマの縦方向の配列ピッチが不連続、且つ、前記不連続部がフロントヨークの継ぎ目に当ってしまうことにより、継ぎ目の部分がエアギャップとなり、両端に位置する印字ハンマを非印字位置に保持する磁気回路のバランスが崩れることを防止することで、ハンマの配列位置に関わらず、安定した印字力及び応答速度を得ることが可能となった。
【図面の簡単な説明】
【図１】本発明の実施例を示す印字モジュール前面図である。
【図２】本発明及び従来技術の一例を示す横断面図である。
【図３】従来技術の一例を示す印字モジュール前面図である。
【符号の説明】
１は印字ハンマ、２はフロントヨーク、３は印字モジュール、４はマグネット、５はヨーク、６はコイル、７は放熱フィン、８，９は印字モジュール、１０，１１，１２，１３，１４，１５は印字ハンマである。
【図１】
2004009470.tif 000003
【図２】
2004009470.tif 000004
【図３】
2004009470.tif 000005